(57)【要約】【課題】  従来の洗髪ボールにミストを噴霧可能な装置にあっては、フードが開閉自在に設けられており、構成が複雑で、かつ、大型であって販売価格も高く、小規模の理美容院で使用するには不向きであるといった問題があった。【解決手段】  洗髪ボール１の側面の適宜位置に開口１５を形成し、前記洗髪ボールの外側面から前記開口にミスト発生装置２よりのフレキシブルな第１ホース２１を接続し、洗髪ボールの内側面から前記開口にフレキシブルな第２ホース３の一端を接続し、前記第２ホースを少なくとも１つの止着具４を利用して洗髪ボールの内周面に這わせて取付け、前記第２ホースの噴霧口３５を洗髪ボールに頭部を入れた状態の被施術者の毛髪に向けてミストを噴霧したことを特徴とする洗髪ボールに装着するミスト装置である。【選択図】        図１
2010172525.tif 000002
【特許請求の範囲】
【請求項１】
髪ボールの側面の適宜位置に開口を形成し、前記洗髪ボールの外側面から前記開口にミスト発生装置よりのフレキシブルな第１ホースを接続し、洗髪ボールの内側面から前記開口にフレキシブルな第２ホースの一端を接続し、前記第２ホースを少なくとも１つの止着具を利用して洗髪ボールの内周面に這わせて取付け、前記第２ホースの噴霧口を洗髪ボールに頭部を入れた状態の被施術者の毛髪に向けてミストを噴霧したことを特徴とする洗髪ボールに装着するミスト装置。
【請求項２】
一端をミスト発生装置よりのフレキシブルな第１ホースと接続したフレキシブルな第２ホースと、該第２ホースを少なくとも１つの止着具を利用して洗髪ボールの内周面に這わせて取付け、前記第２ホースの噴霧口を洗髪ボールに頭部を入れた状態の被施術者の毛髪に向けてミストを噴霧したことを特徴とする洗髪ボールに装着するミスト装置。
【請求項３】
一端がミスト発生装置のミスト発生口に接続され、中間部がフレキシブル部となっており、先端に噴霧口が形成されたホースの該噴霧口側を少なくとも１つの止着具で洗髪ボールの内周面に這わせて取付け、前記噴霧口を洗髪ボールに頭部を入れた状態の被施術者の毛髪に向けてミストを噴霧したことを特徴とする洗髪ボールに装着するミスト装置。
【請求項４】
前記第２ホースの噴霧口をユニバーサルジョイントに構成とし、前記止着具によって固定した状態で噴霧方向を自由に変更することができるようにしたことを特徴とする請求項１乃至３の何れかに記載の洗髪ボールに装着するミスト装置。
【請求項５】
前記止着具は、前記第２ホースを確実に挟持する支持部と、該支持部を前記洗髪ボールの内周面に対して着脱自在に固定するための吸盤式、マグネット、面ファスナー方式としたことを特徴とする請求項１乃至３の何れかに記載の洗髪ボールに装着するミスト装置。
【発明の詳細な説明】
【技術分野】
【０００１】
本発明は、理美容院等においてパーマやトリートメントを行う際に、頭髪に対しミストを噴霧して頭髪を湿潤状態とするミスト発生装置であって、洗髪ボールに頭部を支持した状態の被施術者の頭髪に向かってミストを噴霧する洗髪ボールに装着するミスト装置に関する。
【背景技術】
【０００２】
従来における頭髪にミストを噴霧して頭髪を湿潤状態とする装置としては、例えば、特開２００５−１１８３８８号公報や特開２００５−２５３８３７号公報に開示された発明がある。そして、両者の発明はパーマ処理やトリートメント処理を行うに際して、被施術者が洗髪を洗浄するスペースとトリートメントを行うスペースとの間を行き来することなく１つの洗浄装置で行えるようにしたものである。
【０００３】
ところで、両者の発明にあっては、ミストを噴霧するための手段が前もって洗髪ボール内に組み込まれており、かつ、洗髪ボールの開口部上方にはフードが開閉自在に取付けられているものであった。そして、前者の発明は、主にパーマやトリートメントを行うための装置であり、また、後者の発明は、被施術者の毛髪を自動的に洗髪するための装置であった。
【先行技術文献】
【特許文献】
【０００４】
【特許文献１】特開２００５−１１８３８８号公報
【特許文献２】特開２００５−２５３８３７号公報
【発明の概要】
【発明が解決しようとする課題】
【０００５】
前記した先行文献に開示されている発明は、フードが開閉自在に設けられており、構成が複雑で、かつ、大型であって販売価格も高く、小規模の理美容院で使用するには不向きであるといった問題があり、また、理髪店等のようにパーマやトリートメントを行う機会が少なく通常は洗髪ボールとしての使用である場合には、コスト面と使用勝手の点で不向きであるといった問題があった。
【０００６】
本発明は前記した問題点を解決せんとするもので、その目的とするところは、パーマやトリートメントを行う時のみ、一端をミスト発生装置に接続したホースの他端を洗髪ボールに対し止着具を介して着脱自在に取付けることで、洗髪ボール内に頭部を位置させた被施術者の頭髪に、ミストを噴霧できるようにした洗髪ボールに装着するミスト装置を提供せんとするにある。
【課題を解決するための手段】
【０００７】
本発明の洗髪ボールに装着するミスト装置は前記した目的を達成せんとするもので、請求項１の手段は、洗髪ボールの側面の適宜位置に開口を形成し、前記洗髪ボールの外側面から前記開口にミスト発生装置よりのフレキシブルな第１ホースを接続し、洗髪ボールの内側面から前記開口にフレキシブルな第２ホースの一端を接続し、前記第２ホースを少なくとも１つの止着具を利用して洗髪ボールの内周面に這わせて取付け、前記第２ホースの噴霧口を洗髪ボールに頭部を入れた状態の被施術者の頭髪に向けてミストを噴霧したことを特徴とする。
【０００８】
請求項２の手段は、一端をミスト発生装置よりのフレキシブルな第１ホースと接続したフレキシブルな第２ホースと、該第２ホースを少なくとも１つの止着具を利用して洗髪ボールの内周面に這わせて取付け、前記第２ホースの噴霧口を洗髪ボールに頭部を入れた状態の被施術者の頭髪に向けてミストを噴霧したことを特徴とする。
【０００９】
請求項３の手段は、一端がミスト発生装置のミスト発生口に接続され、中間部がフレキシブル部となっており、先端に噴霧口が形成されたホースの該噴霧口側を少なくとも１つの止着具で洗髪ボールの内周面に這わせて取付け、前記噴霧口を洗髪ボールに頭部を入れた状態の被施術者の毛髪に向けてミストを噴霧したことを特徴とする。
【００１０】
請求項４の手段は、前記した請求項１乃至３の何れかにおいて、前記第２ホースの噴霧口をユニバーサルジョイントに構成とし、前記止着具によって固定した状態で噴霧方向を自由に変更することができるようにしたことを特徴とする。
【００１１】
請求項５の手段は、前記した請求項１乃至３の何れかにおいて、前記止着具は、前記第２ホースを確実に挟持する支持部と、該支持部を前記洗髪ボールの内周面に対して着脱自在に固定するための吸盤式、マグネット、面ファスナー方式としたことを特徴とする。
【発明の効果】
【００１２】
本発明は前記したように、請求項１にあっては、洗髪ボールの開口にミスト発生装置よりの第１ホースを接続し、洗髪ボールの内周面に１つ以上の止着具によって固定された第２ホースを洗髪ボールの前記開口に接続することで、洗髪ボールに頭部を入れた状態の被施術者の頭髪に向けてミストを噴霧することができるので、パーマやトリートメント施術において頭髪にミストを噴霧して頭髪を湿潤状態とすることができ、また、ミストの噴霧が必要でない場合には、第１、第２ホースを洗髪ボールの開口から取外し、かつ、止着具を洗髪ボールから外すことで第２ホースを取り除いて通常の洗髪ボールとして使用することができる。
【００１３】
請求項２にあっては、ミスト発生装置よりの第１ホースと洗髪ボールに止着された第２ホースとを接続することで、ミストを被施術者の頭部に対して噴霧できるので、洗髪ボールに開口が形成されていない通常の洗髪ボールであっても必要に応じてミストを被施術者の頭部に噴霧することができる。
【００１４】
請求項３にあっては、ミスト発生装置の噴霧口に接続されるホースを長くすると共に中間部にフレキシブル部を設けて洗髪ボールの内周面に沿って取付けられるようにしたので、１本のホースのみで洗髪ボールに頭部を入れた状態の被施術者の毛髪に向けてミストを噴霧することができ、コストの低減を図ることができる。
【００１５】
請求項４にあっては、第２ホースの噴霧口はユニバーサルジョイント構造とすることで噴霧方向を自由に変更できるので、第２ホースの止着位置を変えることなく所望の方向の頭髪に対してミストを噴霧することができる。
【００１６】
請求項５にあっては、止着具を、前記第２ホースを確実に挟持する支持部と、該支持部を洗髪ボールの内周面に対して着脱自在に固定するための吸盤式、マグネット、面ファスナー方式からなる止め具としたので、安価な何れの方式の止着具をしようしても確実に、かつ、迅速に第２ホースを固定でき、従って、理美容院等に対して経済的な負担を掛けることなく、迅速にミストを発生させることができる等の効果を有するものである。
【図面の簡単な説明】
【００１７】
【図１】本発明に係る洗髪ボールに装着するミスト装置の第１の実施形態を示す平面図である。
【図２】図１の一部を断面した側面図である。
【図３】第２ホースの平面図である。
【図４】第２の実施形態を示す平面図である。
【図５】第３の実施形態を示す平面図である。
【発明を実施するための形態】
【００１８】
図１、図２は第１の実施形態を示し、１は洗髪ボールにして、前方に被施術者の首後ろ部を支持するネック受け１１が、該ネック受け１１の反対側にはシャワーヘッド１２が、また、前記ネック受け１１とシャワーヘッド１２との間には水栓１３および温度調節摘み１４が取付けられている。なお、この構造は公知の洗髪ボールと同じである。
【００１９】
また、前記洗髪ボール１における前記水栓２から少し離れた位置の壁面には貫通する開口１５が形成されている。なお、この開口１５は図示の位置に限定されるものではなく如何なる位置でもよいが、後述する第２ホース３を洗髪ボールの内周面に沿って取付ける都合上、ある程度の長さが必要で、かつ、水栓１３、温度調整摘み１４およびシャワーヘッド１２の操作において邪魔にならない位置が好ましい。
【００２０】
２は公知のミスト発生装置にして、該装置によって作成されたミストはフレキシブルな材料で構成された第１ホース２１の先端より噴霧される。なお、第１ホース２１の先端は円筒状に形成された接続口２２となっている。
【００２１】
３は図３に詳細に記した第２ホースにして、この第２ホース３もフレキシブルな材料で構成されている。そして、第２ホース３の大半はフレキシブル部３１となっており、該フレキシブル部３１の一方から延長され部分には略直角に折曲され、その先端には前記開口１５の内側から挿入して外面側に突出するテーパー状の接続口３２が形成されると共に該接続口３２を開口１５に挿入した状態で水漏れが生じないように洗髪ボール１の内周面と密着する漏れ防止片３３が形成されている。
【００２２】
また、第２ホース３における前記フレキシブル部３１の他端は略直角に折曲された先端部にはユニバーサルジョイント部３４を介して噴霧口３５が形成されており、従って、前記噴霧口３５はユニバーサルジョイント部３４によって回動自在となっている。
【００２３】
４は洗髪ボール１の内周面に着脱自在に取付け可能な止着具にして、該止着具は吸盤式、マグネット式、面ファスナー式とした止め具４１と、該止め具４１に取付けられ前記第２ホース３の前記フレキシブル部３１やその近傍を確実に挟持することが可能な、例えば、Ｕ字状に形成された支持部４２が一体的に形成されている。
【００２４】
以上のような構成によって構成されたミスト装置は、ミスト装置として使用されない場合には被施術者の頭髪を洗浄するために使用されている。そして、パーマやトリートメントの施術によって頭髪を湿潤を与える必要が生じた場合には、第２ホース３の接続口３２を洗髪ボール１の開口１５内に挿入すると共に接続部３２を洗髪ボール１の外側に導出する。この状態において、漏れ防止片３３は洗髪ボール１の内周面に密着してミストが洗髪ボール１内に漏れるのを防止する状態となる。
【００２５】
次いで、止着具４の止め具４１をシャワーヘッド１２の近傍に取付け、すなわち、止め具４１が吸盤の場合には押し付けて吸盤内部の空気を放出することで吸着し、また、磁石の場合には、磁性板を予め洗髪ボール１の内周面に接着しておき、磁石を支持部４２に取付けておくことで吸着し、さらに、面ファスナーの場合には一方の面ファスナーを洗髪ボール１の内周面に取付けておき、他方の面ファスナーを支持部４２に取付けておくことで一体化することができる。
【００２６】
次に、洗髪ボール１に取付けられた止着具４に対して第２ホース３のフレキシブル部３１を洗髪ボール１の内周面に沿わせた状態で、ユニバーサルジョイント部３４側のフレキシブル部３１やその近傍を支持部４２に挟持させることで、第２ホース３は洗髪ボール１の内周面に沿った状態で固定される。
【００２７】
この状態において、洗髪ボール１の外側に突出している第２ホース３の接続部３２に対してミスト発生装置２に接続されている第１ホース２の接続口２２を差し込むことで、ミスト発生装置２から発生したミストは第２ホース３の噴霧口３５から噴霧されるので、施術者は被施術者の湿潤した部分の頭髪にミストが向かうように噴霧口３５をユニバーサルジョイント部３４で回動して調整することで、湿潤したい部分の頭髪にミストを噴霧することで希望する頭髪部分を湿潤することができる。
【００２８】
なお、洗髪ボールとして使用する場合には、第２ホース３の接続部３２からミスト発生装置２の第１ホース２１の接続口２２を外し、その後に、止着具４を洗髪ボール１から外すと共に第２ホース３の接続部３２を洗髪ボール１の開口１５から抜き取ることで、洗髪専用の洗髪ボールとして使用することができる。
【００２９】
図４は第２の実施形態を示すもので、前記した第１の実施形態では洗髪ボール１に開口１５を形成する必要があるが、洗髪ボール専用として使用される洗髪ボール１には開口１５が存在しないため使用することができない。そこで、洗髪ボール専用の洗髪ボールであってもミストを被施術者の頭髪に噴霧できるようにしたものである。
【００３０】
この第２の実施形態にあっては、第２ホース３の接続部３２にミスト発生装置２に接続された第１ホース２１の先端の接続口２２に直接することで、第１の実施形態と同様に被施術者の頭髪にミストを噴霧することができる。なお、図４の符号は第１の実施形態の符号と同一符号は同一部材を示している。
【００３１】
そして、この実施形態にあっては、第１ホース２１と第２ホース３との接続部分がフリーな状態となっているため、第２ホース３が洗髪ボール１内で不安定な状態となる。そこで、他の止着具４を使用して第２ホース３の漏れ防止片３３側を洗髪ボール１の内壁面に固定することで、第１の実施形態と同様に第２ホース３を安定状態とすることができる。
【００３２】
図５は第３の実施形態を示すもので、前記した第１、第２の実施形態にあっては、第１ホース２１と第２ホース３との２本のホースを使用し、第１ホース２１と第２ホース３とを接続すると共に第２ホース３を洗髪ボール１の内周面に沿わせて取付けたものである。
【００３３】
このように、２本のホースを使用することは、コストの面でも高くなり、かつ、セッティングにも時間が掛かる。そこで、第３の実施形態では、１本のホース５となし、該１本のホースにミスト発生装置２の噴霧口に接続する接続口５１と、洗髪ボールに頭部を入れた状態の被施術者の毛髪に向けてミストを噴霧する噴霧口５２と、該接続口５１と噴霧口５２との間をフレキシブル部５３とする。
【００３４】
そして、フレキシブル部５３を洗髪ボール１の内周面に沿わせた状態で、前記噴霧口５２側を前記した止着具４で洗髪ボール１の内面側に取付けることで、前記したと同様に洗髪ボールに頭部を入れた状態の被施術者の毛髪に向けてミストを噴霧することができる。
【００３５】
なお、この実施形態にあっては、フレキシブル部５３の長さが長いので、前記した第２の実施形態と同様に２つの止着具４を使用して取付けることで、フレキシブル部５３を安定状態で固定することが可能となる。
【符号の説明】
【００３６】
１          洗髪ボール
１５        開口
２          ミスト発生装置
２１        第１ホース
２２        接続口
３          第２ホース
３１        フレキシブル部
３２        接続部
３３        漏れ防止片
３４        ユニバーサルジョイント部
３５        噴霧口
４          止着具
４１        止め具
４２        支持部
５          ホース
５１        接続口
５２        噴霧口
５３        フレキシブル部
【図１】
2010172525.tif 000003
【図２】
2010172525.tif 000004
【図３】
2010172525.tif 000005
【図４】
2010172525.tif 000006
【図５】
2010172525.tif 000007